(57)【要約】      （修正有）【課題】初心者には、むずかしいとされるヤエン釣法を簡単にするバネ反動式三つ叉ヤエンを提供する。【解決の手段】案内台座１にストッパー２主軸第２支柱３を設け、バネ４を２本と主軸指示５と支点軸６を作動軸７手前がわに設け、案内台座１に作動軸７を通し、主軸第２支柱３主軸部分に主軸指示５を設け、作動軸７のバネ４を２本設けた部分に第１支柱８を設け、案内台座１のあしの部分にバネのかたがわを装着、作動軸７先端より２列の半がさタイプのハンスレバリ９を設け、イカバリ１０を４本ずつ二股１１先端に設け、案内台座１のまえの作動軸７上に二股１１を装着、主軸第２支柱３なかほどにオモリ軸１２を設け、オモリ軸１２にオモリ１３と抵抗盤１４を設ける。【選択図】  図１
2004222708.tif 000002
【特許請求の範囲】
【請求項１】
作動軸（７）先端部に半がさタイプのハンスレバリ（９）２列を設け、作動軸（７）中間部にイカバリ（１０）４本を先端部に設けた二股（１１）案内台座（１）ストッパー（２）主軸第２支柱（３）バネ（４）２本と主軸指示（５）支点軸（６）第１支柱（８）を設け、主軸第２支柱（３）後部にオモリ軸（１２）オモリ（１３）抵抗盤（１４）を設けたバネ反動式三つ叉ヤエン。
【発明の詳細な説明】
【０００１】
【発明の属する技術の分野】
この発明は、活きアジをえさにアオリイカを簡単にハリ掛かりさせバラシがないように釣りあげるヤエンに関するものである。
【０００２】
【従来の技術】
従来よりの、アオリイカを掛けるヤエンはステンレスを材料に主軸１，２〜１，４ｍｍを基準に１列６本ならび１セットの半がさタイプのイカスレバリ２列〜３列を設け、えさにするアジの頭をかじりとられた胴のながさとする位置に第１支柱を設け、第１支柱より１ｃｍ〜１，５ｃｍぐらいながくした第２支柱を第１支柱より後方の主軸上をうしろへずらしながら第２支柱の環から第１支柱の環をのぞいて直線上にイカスレバリの２列目が見える位置に第２支柱とオモリを設けたものを基本構成とし、ヤエンを道糸にかけ海中へ落としアオリイカの抱いたアジに到達するまでは、第１支柱の環の部分が支点となり到達すると道糸にひかれることによって第１支柱の環の部分は力点となって、うしろへ押したおすかっこうでオモリ部分に支点がうつり第１支柱と第２支柱のあいだにタワミが発生し、それによって先端部の掛けバリを設けた作用点部分がもちあがりハリ先をつきあげアオリイカにあたり、びっくりして後ろへさがるとハリ掛かりするといった、なかばぐうぜんも利用した釣りでもあった。
【０００３】
【発明が解決しようとする課題】
（イ）従来のヤエンは、第１支柱と第２支柱のあいだのタワミによって作用するため、てこの働きはちいさく道糸と海面の角度が４５度以上になるところまでアオリイカをひき寄せなければならず、その合間にえさは食べつくされたり、違和感を感じる抵抗をあたえると、えさを放してにげてしまう。
（ロ）アオリイカの皮ふはゴムのように弾力があるので、ハリ先がするどくて細くふところの浅いスレバリでひっかくようにハリ掛かりさせるため、やりとりの時、イカ特有のロートから海水の噴射や方向をかえて身をひるかえされての身切れをおこしたり、ハリをはずされたり、また、大物のアオリイカには、ヤエンも長いものを使用するのでヤエンの一部をタモ網やイカギャフでひっかけバラシの原因となった。
（ハ）アオリイカをごく近くまで寄せすぎた時や寄せる途中で、はやくから海面にアオリイカが浮いてしまった状態の時、ヤエンをアオリイカにハリ掛かりさせることはむずかしいものであった。
（ニ）この釣りを何年もやって慣れた人でも、あたりのあった数の３割〜４割を釣りあげることができればよい方とされ、初心者には、ヤエンをアオリイカに掛けることすらむずかしいものであった。
本発明は、これらの欠点を解決するため発明されたものである。
【０００４】
【課題を解決する手段】
案内台座（１）にストッパー（２）と主軸第２支柱（３）を設け、左右対称のバネ（４）２本のあいだに主軸指示（５）をはさみ支点軸（６）に通し、作動軸（７）の手前はしにバネ（４）２本の巻きおわり内向きがわをあわせ支点軸（６）とともに設ける。案内台座（１）に作動軸（７）を通し、主軸第２支柱（３）の主軸部分に主軸指示（５）を設け、案内台座（１）のあしにバネ（４）２本の巻きおわり外向きがわを装着、作動軸（７）にバネ（４）２本を設けた部分上に第１支柱（８）を設け、作動軸（７）先端より１列６本ならび１セットのハンスレバリ（９）２列を順に設け、イカバリ（１０）４本１セットを二股（１１）先端に１セットずつを設け、案内台座（１）まえの作動軸（７）上に二股（１１）を装着、主軸第２支柱（３）の主軸部分なかほどにオモリ軸（１２）を設け、オモリ（１３）と抵抗盤（１４）を溶着したものをオモリ軸（１２）に設ける。
【０００５】
【発明の実施の形態】
以下、本発明の実施の形態を説明する。
（イ）案内台座（１）Ｕ字部分と水平部分のカーブにストッパー（２）を設け、案内台座（１）水平部分ではさむように主軸第２支柱（３）を設け、左右対称のバネ（４）２本の輪に主軸指示（５）のＵ字部分をはさむように支点軸（６）に通す。
（ロ）作動軸（７）手前はしにバネ（４）２本の輪がくるように主軸指示（５）のＵ字部を垂直にピッタリあわせバネ（４）２本の巻きおわり内向きがわと支点軸（６）をあわせ作動軸（７）に設け、案内台座（１）案内部分に作動軸（７）を通し、主軸第２支柱（３）の主軸部分に主軸指示（５）を設け、作動軸（７）にバネ（４）２本を設けた部分上に第１支柱（８）を設け、案内台座（１）のあしの部分にバネ（４）２本の巻きおわり外向きがわを装着する。
（ハ）作動軸（７）先端より６本ならび１セットの半がさタイプのハンスレバリ（９）２列を順に設け、４本バリ１セットのイカバリ（１０）１セットずつを二股（１１）先端に設け、二股（１１）を案内台座（１）まえの作動軸（７）上に装着する。
（ホ）主軸第２支柱（３）なかほどにオモリ軸（１２）を設け、オモリ（１３）と抵抗盤（１４）を溶着したものをオモリ軸（１２）に設ける。
本発明は、以上のような構成よりなっている。
本発明を使用するときは、活きアジの胴に小バリをうちしっぽに道糸をむすびつけ海中へ投入しアオリイカがアジに抱きつくのを待ち、抱きつくと道糸がひきだされてゆき止まるとすこし待ち、釣りざおを立てかるく抵抗をかけるとアオリイカが引きかえしてくるようであればもうすこし待ち、同じ動作をくりかえし引きかえしてこなければ道糸をゆっくりと巻き海面と道糸の角度がヤエンを落としこみやすい角度にちかずくと、いったん釣りざおをたおし道糸を手にとりヤエンのらせん状の環を道糸にかけヤエンを海中へ落とし釣りざおを立てゆっくり道糸を巻きとることで、小型のアオリイカであれば海面からでている道糸が手前によってくるか、アオリイカが海面ちかくまで浮いてくるとヤエンはアオリイカに到達していることになり、釣りざおを横にたおしぎみにアワセをいれてやるとよく、大型のアオリイカであれば力もつよく重量もあるので、アジのしっぽが第１支柱のらせん状の環にあたり第１支柱をおしたおすように抵抗がかかるのと、案内台座と作動軸をつないだバネが働きストッパーで中立をたもっていた作動軸がはずれ先の三つ叉がするどくハネあがり掛けバリがアオリイカを捕らえる。
【０００６】
【発明の効果】
本発明を使用することによって、アオリイカの大小にかんけいなく使用できバネの作用にによって半自動的につきあげ動作がおき、三つ叉に掛けバリを設けたことで、ひろい面積でハリ掛かりさせることができ、道糸と海面の角度がヤエンを落としこんでゆける角度であれば、沖あいやかなり手前であってもヤエンをアオリイカに到達させれば、釣りざおのスナップをきかせアワセをいれると強制的なバネと抵抗盤の働きでアオリイカを捕らえることがで、ハリ掛かりしたあとはヤエンがくの字の形をとることと、かえしつきの掛けバリではずれにくく食い込みつづけるので逃がさずとり込みも楽にできる。しかも、このヤエンによって、むずかしいとされるこの釣りの初心者でも簡単にアオリイカを釣ることができる。
【図面の簡単な説明】
【図１】本発明の斜視図
【図２】本発明の分解斜視図
【図３】本発明の使用状態を示す斜視図
【符号の説明】
１  案内台座
２  ストッパー
３  主軸第２支柱
４  バネ
５  主軸指示
６  支点軸
７  作動軸
８  第１支柱
９  ハンスレバリ
１０  イカバリ
１１  二股
１２  オモリ軸
１３  オモリ
１４  抵抗盤
【図１】
2004222708.tif 000003
【図２】
2004222708.tif 000004
【図３】
2004222708.tif 000005
【手続補正書】
【提出日】平成15年4月11日(2003.4.11)
【手続補正１】
【補正対象書類名】明細書
【補正対象項目名】発明の詳細な説明
【補正方法】変更
【補正の内容】
【発明の詳細な説明】
【０００１】
【発明の属する分野】
この発明は、活きアジをえさにアオリイカを簡単にハリ掛かりさせバラシがないように釣りあげるヤエンに関するものである。
【０００２】
【従来の技術】
従来よりの、アオリイカを掛けるヤエンはステンレスを材料に主軸１，２〜１，４ｍｍを基準に１列６本ならび１セットの半がさタイプのイカスレバリ２列〜３列を設け、えさにするアジの頭をかじりとられた胴のながさとする位置に第１支柱を設け、第１支柱より１ｃｍ〜１，５ｃｍぐらいながくした第２支柱を第１支柱より後方の主軸上をうしろへずらしながら第２支柱の環から第１支柱の環をのぞいて直線上にイカスレバリの２列目が見える位置に第２支柱とオモリを設けたものを基本構成とし、ヤエンを道糸にかけ海中へ落としアオリイカの抱いたアジに到達するまでは、第１支柱の環の部分が支点となり到達すると道糸にひかれることによって第１支柱の環の部分は力点となって、うしろへ押したおすかっこうでオモリ部分に支点がうつり第１支柱と第２支柱のあいだにタワミが発生し、それによって先端部の掛けバリを設けた作用点部分がもちあがりハリ先をつきあげアオリイカにあたり、びっくりして後ろへさがるとハリ掛かりするといった、なかばぐうぜんも利用した釣りであった。
【０００３】
【発明が解決しようとする課題】
（イ）従来のヤエンは、第１支柱と第２支柱のあいだのタワミによって作用するため、てこの働きはちいさく道糸と海面の角度が４５度以上になるところまでアオリイカをひき寄せなければならず、その合間にえさは食べつくされたり、違和感を感じる抵抗をあたえると、えさを放してにげて）しまう。
（ロ）アオリイカの皮ふはゴムのように弾力があるので、ハリ先がするどくて細くふところの浅いスレバリでひっかくようにハリ掛かりさせるため、やりとりの時、イカ特有のロートから海水の噴射や方向をかえて身をひるかえされての身切れをおこしたり、ハリをはずされたり、また、大物のアオリイカには、ヤエンも長いものを使用するのでヤエンの一部をタモ網やイカギャフでひっかけバラシの原因となった。
（ハ）アオリイカをごく近くまで寄せすぎた時や寄せる途中で、はやくから海面にアオリイカが浮いてしまった状態の時、ヤエンをアオリイカにハリ掛かりさせることはむずかしいものであった。
（ハ）この釣りを何年もやって慣れた人でも、あたりのあった数の３割〜４割を釣りあげることができればよい方とされ、初心者には、ヤエンをアオリイカに掛けることすらむずかしいものであった。
本発明は、これらの欠点を解決するため発明されたものである。
【０００４】
【課題を解決する手段】
案内台座（１）にストッパー（２）と主軸第２支柱（３）を設け、左右対称のバネ（４）２本のあいだに主軸指示（５）をはさみ支点軸（６）に通し、作動軸（７）の手前はしにバネ（４）２本の巻きおわり内向きがわをあわせ支点軸（６）とともに設ける。案内台座（１）に作動軸（７）を通し、主軸第２支柱（３）の主軸部分に主軸指示（５）を設け、案内台座（１）のあしにバネ（４）２本の巻きおわり外向きがわを装着、作動軸（７）にバネ（４）２本を設けた部分上に第１支柱（８）を設け、作動軸（７）先端より１列６本ならび１セットのハンスレバリ（９）２列を順に設け、イカバリ（１０）４本１セットを二股（１１）先端に１セットずつを設け、案内台座（１）まえの作動軸（７）上に二股（１１）を装着、主袖第２支柱（３）の主軸部分なかほどにオモリ軸（１２）を設け、オモリ（１３）と抵抗盤（１４）を溶着したものをオモリ軸（１２）に設ける。
【０００５】
【発明の実施の形態】
以下、本発明の実施の形態を説明する。
（イ）案内台座（１）Ｕ字部分と水平部分のカーブにストッパー（２）を設け、案内台座（１）水平部分ではさむように主軸第２支柱（３）を設け、左右対称のバネ（４）２本の輪に主軸指示（５）のＵ字部分をはさむように支点軸（６）に通す。
（ロ）作動軸（７）手前はしにバネ（４）２本の輪がくるように主軸指示（５）のＵ字部を垂直にぴったりあわせバネ（４）２本の巻きおわり内向きがわと支点軸（６）をあわせ作動軸（７）に設け、案内台座（１）案内部分に作動軸（７）を通し、主軸第２支柱（３）の主軸部分に主軸指示（５）を設け、作動軸（７）にバネ（４）２本を設けた部分上に第１支柱（８）を設け、案内台座（１）のあしの部分にバネ（４）２本の巻きおわり外向きがわを装着する。
（ハ）作動軸（７）先端より６本ならび１セットの半がさタイプのハンスレバリ（９）２列を順に設け、４本バリ１セットのイカバリ（１０）１セットずつを二股（１１）先端に設け、二股（１１）を案内台座（１）まえの作動軸（７）上に装着する。
（ニ）主軸第２支柱（３）なかほどにオモリ軸（１２）を設け、オモリ（１３）と抵抗盤（１４）を溶着したものをオモリ軸（１２）に設ける。
本発明は、以上のような構成よりなっている。
本発明を使用するときは、活きアジの胴に小バリをうちしっぽに道糸をむすびつけ海中へ投入しアオリイカがアジに抱きつくのを待ち、抱きつくと道糸がひきだされてゆき止まるとすこし待ち、釣りざおを立てかるく抵抗をかけるとアオリイカが引きかえしてくるようであればもうすこし待ち、同じ動作をくりかえし引きかえしてこなければ道糸をゆっくりと巻き海面と道糸の角度がヤエンを落としこみやすい角度にちかずくと、いったん釣りざおをたおし道糸を手にとり第１支柱（８）と作動軸（７）のねもとを押しつけ、ストッパーに作動軸（７）をとめ、主軸第２支柱（３）のらせん状の関を道糸にかけヤエンを海中へ落とし釣りざおを立てゆっくり道糸を巻きとることで、小型のアオリイカであれば海面からでている道糸が手前によってくるか、アオリイカが海面ちかくいてくるとヤエンはアオリイカに到達していることになり、釣りざおを横にたおしぎみにアワセをいれてやるとよく、大型のアオリイカであれば力もつよく重量もあるので、アジのしっぽが第１支柱（８）のらせん状の環にあたり第１支柱（８）をおしたおすように抵抗がかかるのと、案内台座（１）と作動軸（７）をつないだバネ（４）が働きストッパー（２）で中立をたもっていた作動軸（７）がはずれその先の三つ叉がするどくハネあがりハンスレバリ（９）とイカバリ（１０）の掛けバリがアオリイカを捕らえる。
【０００６】
【発明の効果】
本発明を使用することによって、アオリイカの大小にかんけいなく使用できバネの作用によって半自動的につきあげ動作がおき、三つ叉に掛けバリを設けたことで、ひろい面積でハリ掛かりさせることができ、道糸と海面の角度がヤエンを落としこんでゆける角度であれば、沖あいやかなり手前であってもヤエンをアオリイカに到達させれば、釣りざおのスナップをきかせアワセをいれると強制的なバネと抵抗盤の働きでアオリイカを捕らえることができ、ハリ掛かりしたあとは、ヤエンがくの字の形をとることと、かえしつきの掛けバリではずれにくく食い込みつづけるので、逃がさずとり込みも楽にできる。しかも、このヤエンによって、むずかしいとされるこの釣りの初心者でも簡単にアオリイカを釣ることができる。